(57)【要約】吸収性物品は、流体獲得／分配領域が開孔フィルムなどの蒸発バリアを含むので、物品から遠ざかって着用者へ向かう方向への蒸発の減少を示す。
2004500932.tif 000002
【特許請求の範囲】
【請求項１】
使用中に着用者の皮膚と接触しているように意図されたトップシートと、バックシートと、前記トップシートと前記バックシートとの間に入れられた吸収性コアとを含み、前記吸収性コアが、液体貯蔵領域と、前記流体貯蔵領域と前記トップシートとの間に置かれた流体獲得／分配領域とを含むものであって、前記獲得／分配領域が、流体透過性の蒸発バリア層を含み、前記物品が、蒸発試験にかけられた時に、１５０ｇ／ｍ２／時間未満の蒸発値を提供することを特徴とする、吸収性物品。
【請求項２】
使用中に着用者の皮膚と接触しているように意図されたトップシートと、バックシートと、前記トップシートと前記バックシートとの間に入れられた吸収性コアとを含み、前記吸収性コアが、液体貯蔵領域と、前記流体貯蔵領域と前記トップシートとの間に置かれた流体獲得／分配領域とを含むものであって、前記獲得／分配領域が、流体透過性の蒸発バリア層を含み、前記物品が、蒸発試験にかけられて、前記蒸発バリア層を有さない同等に設計された物品と比較した時、約３０％を超える蒸発値の減少を示すことを特徴とする、吸収性物品。
【請求項３】
前記バリア層が、約１．４ｍｍ２を超え、好ましくは約１．５ｍｍ２を超え、及び、約３．０ｍｍ２未満の、好ましくは約２．５ｍｍ２未満の、個々の開口面積を有する第一の複数の開孔を有するフィルム材料を含む、請求項１または２に記載の吸収性物品。
【請求項４】
前記バリア層が、前記バリア層のそれぞれの表面積の、約５％を超え、好ましくは約１０％を超え、及び、約２５％未満の、好ましくは約２０％未満の、合計開口面積を有する第一の複数の開孔を有した材料を含む、請求項１から３のいずれか一項に記載の吸収性物品。
【請求項５】
前記バリア層が、前記第一の複数の開孔の平均開孔サイズよりも小さい平均開孔サイズを有する第二の複数の開孔を更に含む、請求項１〜４のいずれか一項に記載の吸収性物品。
【請求項６】
前記第二の複数の開孔が、約１．４ｍｍ２未満の、好ましくは約１．０ｍｍ２未満の、個々の開口面積を有する、請求項５の吸収性物品。
【請求項７】
前記開孔フィルム材料が、三次元構造を形成されたフィルムであり、前記第一の複数の開口が、第一の開口よりも小さい第二の開口を有する円錐形開孔であり、前記第二の開口が前記貯蔵領域に向かって置かれる、請求項１〜６のいずれか一項に記載の吸収性物品。
【請求項８】
前記獲得／分配領域が、化学的に剛化されたセルロース繊維を含む、請求項１〜７のいずれか一項に記載の吸収性物品。
【請求項９】
前記獲得／分配領域が、樹脂結合されたカードＰＥＴウエブを含む、請求項１〜８のいずれか一項に記載の吸収性物品。
【請求項１０】
１００ｍｇ未満の、好ましくは５０ｍｇ未満の、獲得後のコラーゲン再湿潤値を示す、請求項１〜９のいずれか一項に記載の吸収性物品。
【請求項１１】
前記バックシートが水蒸気透過性であり、０．３グラム未満の動的流体移動値を示す、請求項１〜１０のいずれか一項に記載の吸収性物品。
【請求項１２】
前記バックシートが、１００ｇ／ｍ２未満の、好ましくは５０ｇ／ｍ２未満の、動的流体移動値を提供するように選択される、請求項１〜１１のいずれか一項に記載の吸収性物品。
【請求項１３】
前記吸収性コア及び前記バックシートが、湿った時でさえも対流ガス輸送に対して透過性であり、０．１ダルシー／ｍｍを超えるしっとりしたパーミアンスを提供する、請求項１〜１２のいずれか一項に記載の吸収性物品。
【発明の詳細な説明】
【０００１】
本発明は、乳児おむつ、失禁症大人用物品などの、使い捨て吸収性物品に関する。特に、本発明は、大量の流体を受け入れるが、依然、着用者の皮膚に対しては良い乾燥状態を維持することを企図する物品を対象とする。
【０００２】
（発明の背景）
おむつ、失禁用物品、衛生タオル、トレーニングパンツなどの使い捨て吸収性物品は、当技術分野で周知である。使い捨て吸収性物品は、通常、着用者の身体に面する液体透過性のトップシートと、着用者の衣服に面する液体不透過性のバックシートと、液体透過性のトップシートとバックシートの間に入れられた吸収性コアとを含む。吸収性コアは、着用者の身体から排出された比較的大量の尿または他の排出物などの流体を、特に比較的短時間に排出された比較的大量の流体を、しばしば吸収して処理できなければならない。
【０００３】
欧州特許ＥＰ−Ａ−０　７７４．２４２は、着用者の皮膚に向けられた最上部材料層（トップシート）を有し、下にある獲得／分配領域により非常に効果的に排水されて、トップシート内のこの層には最小の緩やかに結合した流体しか残らないようになっている、吸収性物品を開示している。
【０００４】
「バックシート」と呼ばれることが多い流体バリア材料を、気体または蒸気透過性にして湿気が逃げられるようにする物品の設計も周知である。
【０００５】
吸収要求が比較的少ない例えば所謂「パンティライナー」製品内などへの適用の場合、不織布または開孔ポリマーフィルム材料をバックシートとして使用することも多い。乳児おむつのように流体負荷がより大きい場合には、微小多孔性フィルムまたは所謂モノリシックフィルムが好まれることが多い。繊維性層と、コーティングまたはフィルムなどとの、様々な組合せもまた周知である。
【０００６】
かかる通気性材料は、米国特許ＵＳ−Ａ−５．６２８．７３７に記載されるように開孔によって、または、欧州特許出願ＥＰ−Ａ−０．２３８．２００、欧州特許出願ＥＰ−Ａ−０．２８８．０２１、欧州特許出願ＥＰ−Ａ−０．３５２．８０２、欧州特許出願ＥＰ−Ａ−０．５１５．５０１、米国特許出願ＵＳ−Ａ−４．７１３．０６８に記載される「微小多孔」性質を開発することによって空気透過性及び／又は蒸気透過性を持たせたフィルムといったような多様な種類のウエブであることができ、それによってフィルム内に非常に小さいひびに類似した小さな空間が生じる。空気／蒸気が構造の比較的大きな孔を容易に貫通する繊維性織物または不織布ウエブであり得る代替の通気性材料が、国際公開ＷＯ９４／２３１０７号、国際公開ＷＯ９４／２８２２４号、米国特許ＵＳ−Ａ−４．７５８．２３９号、欧州特許出願ＥＰ−Ａ−０．３１５．０１３号の全てに記載されている。かかるウエブは、欧州特許出願ＥＰ−Ａ−０．１９６．６５４に記載されているように、液体不透過性の改良に関して処理することも、しないこともできる。国際公開ＷＯ９５／１６５６２では、不織布と通気性フィルムの積層が開示されている。国際公開ＷＯ９５／１６７４６などの更なる開示は、水分子がその中を拡散することが可能な他の材料に関する。また、上述の要素のいずれかの様々な層を含む様々な材料の組合せも周知である。
【０００７】
物品は更に、そこに排出された流体を保持するようにデザインされるべきのみならず、物品内に、すなわち物品と着用者の間の空間を埋める気体に、乾燥した局所的情景をもたらさなければならない。
【０００８】
国際公開ＷＯ９８／５８６０９（ヘルライン（Ｈｅｒｒｌｅｉｎ））は、不織布バックシートを有する物品を開示して、そこで所謂、超吸収性材料などの吸収性材料を、設計容量すなわち所期の用途のために設計した物品の容量に比して比較的大量に使用して、乾燥した局所的情景を改質している。
【０００９】
関連して一緒に出願された、一連の国際公開（ＷＯ００／１０４９７、ＷＯ００／１０４９８、ＷＯ００／１０４９９、ＷＯ００／１０５００、及びＷＯ００／１０５０１）は、湿り状態にあることも含めて通気性の吸収性物品に関する。そこに記載された一方法は、吸収性コアに開孔加工する、またはコアの他の部分よりも実質的に高吸収性でない材料を含む部分をコア内につくることにより、吸収性コア内に高通気性域を作り出すことに関している。全体としては、微小多孔性フィルム材料を好んで使用していることにより示されるように、並びにトレーサーガステストにより示されるように、ガス移動メカニズムは、ガス拡散メカニズムに依存している。
【００１０】
しかし依然存在する必要性は、物品の流体処理機能特性、特に獲得特性及び分配特性を妥協することなく、着用者の皮膚の周辺の気体相内に望ましくない高湿気含有または相対湿度を作る傾向をより更に減少した、吸収性物品を提供することである。
【００１１】
（発明の概要）
今後、本発明は、トップシートと、バックシートと、その間に配置された吸収性コアとを有する、吸収性物品を提供する。吸収性コアは、少なくとも２つの副構造、すなわち最終液体貯蔵コア、及び貯蔵コアとトップシートとの間に配置された流体獲得／分配部材を具備する。流体獲得／分配部材は更に蒸発バリアを含み、物品が、後述する蒸発試験で評価された如く、低いレベルのトップシートを通る流体蒸発を示す。物品は更に、使用中に着用者の皮膚を濡らすような、少ない再濡れの傾向を示す。
【００１２】
そのような低い蒸発値を達成する好ましい方法は、流体獲得／分配部材中にバリア層を含むことであり、バリア層は、流体が最終貯蔵コアの方向へは容易に通過できるように構成されているが、反対方向すなわち物品のトップシートの方向へ、着用者から見た物品のそれぞれの方向へ、湿気が貫通する傾向を減少する。
【００１３】
特定の実施態様では、本発明は開孔フィルムであり、開孔フィルムは、流体獲得／分配材料の中に、開孔フィルムがなければ互いに直接接触するであろう２つの隣接層の間などに、配置される。
【００１４】
（詳細な説明）
本明細書で使用する用語「吸収性物品」は、身体排泄物を吸収して封じ込める装置を指し、具体的には、着用者の身体に押し付けまたは近接して配置し、身体から排出される種々の排泄物を吸収して封じ込める装置を指す。本明細書において「使い捨て」という用語は、洗濯、または別の状況では吸収性物品として修復、再使用することを企図しない吸収性物品を記述するために使用する（すなわち、その物品を１回の使用の後に廃棄、好ましくはリサイクル、堆肥化、または別の状況では環境に適合する方法で処分することを企図する）。
【００１５】
吸収性物品は、一般的に次のものを含む：
吸収性コア（副構造群からなってもよい）、本発明による獲得／分配部材をふくむ；
−流体透過性トップシート；
−流体不透過性バックシート；
−締結要素または弾性付与のような更なる任意の機構。
【００１６】
本発明の吸収性物品の特定の実施態様は、図１に示す、使い捨て吸収性物品、おむつ２０である。本明細書で使用する「おむつ」という用語は、幼児及び失禁者が胴体下部周りに着用する吸収性物品を一般に指す。しかし、本発明はまた、失禁用ブリーフ、失禁用下着、おむつホルダーとライナー、女性用生理用品など、他の吸収性物品にも適用可能であることを理解されたい。
【００１７】
主として、本発明は、流体獲得に対する高い要求を有する使い捨て物品内での使用、すなわち、乳児用使い捨ておむつ、重失禁症大人用物品、トレーニングパンツなどの場合のように、比較的大容量の流体を比較的高流速で吸収する場所での使用に関する。しかし、本発明は、女性生理用装置、または軽若しくは中程度の失禁症大人用物品など、比較的低流速及び小容量の流体に対する装置にも、それに応じて適用可能である。
【００１８】
図１は、おむつ２０の平らに広げた非収縮（つまり、弾性に起因する収縮を引っ張った）状態での平面図であり、おむつ２０の構造をより明確に示すために構造の一部を切り欠き、おむつ２０の着用者に面する若しくは接触する部分、内側表面、を手前に向けている。図１に示すように、おむつ２０は、液体透過性トップシート２４、トップシート２４と結合した液体不透過性バックシート２６、及びトップシート２４とバックシート２６との間に置かれた吸収性コア２８を含むのが好ましい。
【００１９】
異なる指定がない限り、用語「上側」は、物品の着用者に対して向けられる構造の部分を指し、「下側」は、着用者から遠方に向く。
【００２０】
図１に示すおむつ２０の好ましい実施態様では、トップシート２４及びバックシート２６は、吸収性コア２８よりも概ね大きい長さと幅の寸法を有する。トップシート２４及びバックシート２６は、吸収性コア２８の縁を越えて延伸し、おむつ２０の周辺２２を形成する。トップシート２４とバックシート２６と吸収性コア２８は、様々な周知の構成で組み立てることができるが、好ましいおむつの構成が、１９７５年１月１４日にブエル（Ｋｅｎｎｅｔｈ Ｂ．Ｂｕｅｌｌ）へ発行された「使い捨ておむつ用の収縮可能な側部分（Ｃｏｎｔｒａｃｔａｂｌｅ Ｓｉｄｅ Ｐｏｒｔｉｏｎｓ ｆｏｒ Ｄｉｓｐｏｓａｂｌｅ Ｄｉａｐｅｒ）」という名称の米国特許第３．８６０．００３号、及びブエル（Ｋｅｎｎｅｔｈ Ｂ．Ｂｕｅｌｌ）の米国特許ＵＳ−Ａ−５．２２１．２７４号「予備配列された弾力的な可撓性ヒンジを有する動的に弾性的なウエスト構造部分を含む吸収性物品（Ａｂｓｏｒｂｅｎｔ Ａｒｔｉｃｌｅ Ｗｉｔｈ Ｄｙｎａｍｉｃ Ｅｌａｓｔｉｃ Ｗａｉｓｔ Ｆｅａｔｕｒｅ Ｈａｖｉｎｇ Ａ Ｐｒｅｄｉｓｐｏｓｅｄ Ｒｅｓｉｌｉｅｎｔ Ｆｌｅｘｕｒａｌ Ｈｉｎｇｅ）」に概ね記載されている。
【００２１】
バックシート２６は、吸収性コア２８の衣料表面に近接して配置され、好ましくは当技術分野で周知のもののような取付け手段（図示せず）により衣料表面に接合される。たとえば、バックシート２６は、均一な連続層の接着剤、パターン層の接着剤、または別個の線、螺旋、若しくは点配列の接着剤により、吸収性コア２８に固定することができる。申し分ないと判明している接着剤として、ミネソタ州（Ｓｔ． Ｐａｕｌ， Ｍｉｎｎｅｓｏｔａ）のフーラー社（Ｈ． Ｂ． Ｆｕｌｌｅｒ Ｃｏｍｐａｎｙ）により製造されてＨＬ−１２５８として販売されているものがある。取付け手段は、接着剤フィラメント開放模様網を含むのが好ましく、これは１９８６年３月４日にミネトラ（Ｍｉｎｅｔｏｌａ）らに発行された「使い捨て排泄物収容衣料（Ｄｉｓｐｏｓａｂｌｅ Ｗａｓｔｅ−Ｃｏｎｔａｉｎｍｅｎｔ Ｇａｒｍｅｎｔ）」という名称の米国特許第４．５７３．９８６号に開示されており、螺旋模様に渦を巻く幾つかの線の接着剤フィラメントを含むのがより好ましく、これには１９７５年１０月７日にシュプラークジュニア（Ｓｐｒａｇｕｅ， Ｊｒ．）へ発行された米国特許第３．９１１．１７３号と、１９７８年１１月２２日にツィーカー（Ｚｉｅｃｋｅｒ）らへ発行された米国特許第４．７８５．９９６号と、１９８９年６月２７日にウェレニック（Ｗｅｒｅｎｉｃｚ）へ発行された米国特許第４．８４２．６６６号とに示される装置及び方法に例示されるものなどがある。あるいは、取付け手段には、熱接着、圧力接着、超音波接着、動的機械的接着、または当業界周知の他のいずれかの適切な接着手段、或いはこれら接着手段の組合せを含むことができる。
【００２２】
バックシート２６は、薄いプラスチックフィルムで製造することができるが、その他の可撓性流体不透過性材料を使用してもよい。本明細書で使用する用語「可撓性」は、順応性があって、人間身体の一般的な形や輪郭に容易に沿うことができる材料について言う。バックシート２６は、吸収性コア２８により吸収されて収容された排出物が、ベッドシーツや下着などおむつ２０と接触する物品を濡らすことを防止する。したがって、バックシート２６は、織布または不織布材料、ポリエチレン若しくはポリプロピレンの熱可塑性フィルムなどのポリマーフィルム、またはフィルムコートした不織布材料などの複合材料を含んでよい。従来、バックシートは、厚さが約０．０１２ｍｍ〜約０．０５１ｍｍの熱可塑性フィルムであり、米国インディアナ州（Ｔｅｒｒｅ Ｈａｕｔｅ， ＩＮ， ＵＳ）のトレドガーインダストリーズ社（Ｔｒｅｄｅｇａｒ Ｉｎｄｕｓｔｒｉｅｓ， Ｉｎｃ．）により製造されるＲＲ８２２０ブローフィルム及びＲＲ５４７５キャストフィルムなどがある。バックシート２６は、エンボス加工及び／または艶消し仕上げして、より衣類様の外観を形成するのが好ましい。
【００２３】
本発明は、湿気特に蒸気相の湿気が物品から外部へ、特に外部すなわち着用者から遠くへ移動可能である、通気性バックシート２６と組み合わされるのが特に好適である。しかし、かかる材料は、蒸気透過性であっても、好ましくは液体透過ではなく、物品の外部を過度に湿らさないようになっている。これは、以降に記述するポリホール再湿潤試験により評価することができる。消費者は、０．３ｇを超える値を示す物品を、不愉快と知覚することが判明した。今後は、好ましい物品は、０．３ｇ未満のポリホール再湿潤を示し、好ましくは０．２ｇ未満を示すバックシート材料を含む。
【００２４】
トップシート２４は、吸収性コア２８の身体表面に隣接して配置され、当技術分野で周知のもののような取付け手段（図示せず）により、好ましくは吸収性コア２８及びバックシート２６へ結合される。好適な取付け手段については、バックシート２６の吸収性コア２８への結合に関連して説明する。本発明で使用する用語「結合した」は、ある要素が他の要素へ直接取り付けられることにより該他の要素に直接固定される構成、及びある要素が中間部材へ取り付けられ該中間部材が他の要素へ取り付けられることにより該他の要素に間接的に固定される構成、を包含する。
【００２５】
一般的に、トップシート２４は、順応性があり、柔らかな感触であり、着用者の皮膚を刺激しない。更に、トップシート２４は、液体透過性であり、流体（例えば尿）が該厚さを容易に貫通可能である。好適なトップシートは、広範囲の材料により製造することができ、例えば、多孔性発泡体、網状発泡体、開孔プラスチックフイルム、或いは天然繊維（例えば、木材繊維若しくは木綿繊維）、合成繊維（例えばポリエステル繊維若しくはポリプロピレン繊維）または天然繊維及び合成繊維の組合せによる織布ウエブまたは不織布ウエブなどがある。トップシート２４を製造するために使用できる多くの製造技法がある。例えば、トップシート２４は、スパンボンド、カード式、湿式、メルトブローン、水流交絡、これらの組合せ、またはその他類似の方法での不織布ウエブ繊維であってもよい。
【００２６】
任意選択的に、記述された吸収性物品の機能要素に加えて、吸収性物品は、欧州特許出願ＥＰ−Ａ−０．２５４．４７６（アレマニー（Ａｌｅｍａｎｙ））に示されるような当技術分野で周知の更なる要素を含むことができ、非制限的リストとして次のものがある：
ａ）様々なカフ要素、それぞれの弾性を有する脚部カフスまたは所謂バリアカフスなど；
ｂ）様々な固定手段、テープ若しくは所謂パンティ締結手段などの接着手段、または機械的締結手段、またはこれらの組合せなど。代替法として、かかる物品は、局所接着剤を有することができ、或いはパンティ若しくは下着、または所謂ストレッチパンツなどの特殊固定のパンツなどのように、別個の固定手段により所定の位置に保持することもできる。該物品は、閉じることが可能な、任意に、再度閉じることが可能な構造にすることができ、または、任意に、開くことが可能または再度閉じることが可能な継ぎ目を有する完全に閉じたパンツ型物品にすることができる。
【００２７】
ｃ）肛門開口と整列するようにデザインされた大きな開口を有するトップシートのような様々な糞便取扱い手段、またはトップシートの下にあり得て好ましくは複数の開口を含む糞便受入れ手段など。
【００２８】
この実施態様の場合、吸収性物品が尿と糞便の両方の排出物を受け入れるように企図する場合には、糞便取扱い領域が尿取扱い領域と干渉する配列とならないよう注意が必要である。
【００２９】
ｄ）物品の他の要素は、より心地良いサイズとフィットの調節を可能にする伸縮性領域などの伸縮性付与手段を含むことができる。かかるパネルは、物品の固定要素領域に、またはテープ領域に、または腰部領域に配置することができる。
【００３０】
液体貯蔵コア
本発明に好適な最終貯蔵コアは、意図する用途に十分な最終貯蔵容量を提供するいかなる構造にすることも可能であり、例えば、いわゆる超吸収性材料を含む、任意に及び好ましくはセルロース綿毛及び／または合成繊維材料などの繊維性材料との組合せとする周知の構造などがしばしばあり、欧州特許出願ＥＰ−Ａ−０．７７４．２４２；全て１９９９年４月２３日に出願した、国際公開ＩＢ９９／００７３９、ＩＢ９９／００７４１、ＩＢ９９／００７５１；１９９８年３月１８日に出願した国際公開ＵＳ９８／／０５０４４などを参照のこと。
【００３１】
貯蔵コアは、好ましくは高内相エマルジョン重合法（「ＨＩＰＥ」発泡体）により作られる、高分子多孔質材料を含むことができ、例えば共に１９９９年３月１２日に出願された国際公開ＩＢ９９／００４０４、及びＩＢ９９／００４０８に記載されるものなどがある。これら全てを参考として本明細書に組み入れる。
【００３２】
任意に、しかも好ましくは、貯蔵コアは、ティッシュペーパー、または、例えば参考として本願に取り入れられている国際公開ＷＯ９７／０７７６１、及び１９９９年４月１６日に出願された国際公開ＩＢ９９／００６８９に記載されるような好適な不織布材料などの、好適なウエブにより多くが包まれ得る。
【００３３】
好ましくは、貯蔵コアは、例えば、本明細書に参考として組み入れられている同時係属国際公開「増加した対流ガス流量を有する吸収性物品（Ａｂｓｏｒｂｎｅｔ Ａｒｔｉｃｌｅｓ ｗｉｔｈ ｉｎｃｒｅａｓｅｄ ｃｏｎｖｅｃｔｉｖｅ ｇａｓ ｆｌｏｗ ｒａｔｅｓ ｔｈｅｒｅｔｈｒｏｕｇｈ）」、委任状番号ＣＭ２３７４、に記載されるように、０．１ダルシー／ｍｍより大きい、好ましくは１．０ダルシー／ｍｍより大きいパーミアンス（すなわち空気及びガスの厚さに関連する透過性）を示すことによって、空気またはガスの対流によるその中の流れを可能にするものである。
【００３４】
獲得／分配システム
流体が吸収性コアへ入るのを容易にするために、獲得／分配部材またはシステムは、少なくとも流体排出領域で、貯蔵コアとトップシートとの間に配置される。
【００３５】
欧州特許出願ＥＰ−Ａ−０．７７４．２４２にかかる領域が記載され、これは、合成不織布材料と組み合わされた変成セルロース材料で作られるなどの、二層構造であり得る。
【００３６】
バリア層
本発明の本質的な要素は、獲得／分配システム内に含まれるバリア機能である。バリア機能は、着用者から遠ざかる方向に可能な限り容易に及び妨げられることなく、流体がその中を貫通し得なければならない。
【００３７】
それは更に、物品からの湿気の蒸発を可能な限り最小にしなければならない。
【００３８】
理論に縛られることは望まないが、かかる層の格別な利益は、２つの効果、すなわち表面が乾燥すると物品の内部領域からおむつ表面への流体の逆移動が最小になることにより、引き起こされると考えられている。更に、効果的なバリア機能により、物品の内部部分から表面への蒸気相の移動が減少することも考えられている。
【００３９】
このシステムの正確な構成に従うと、このバリア機能は、貯蔵コアに向かってまたはトップシートに向かって、獲得／分配システムの表面に配置することができ、或いはシステムの２つの層の間などのようにシステム内に完全に配置することもできる。
【００４０】
このバリアは、上向きに、すなわちこのシステムのこの要素の企図する使用の間、着用者を向いて配置されなければならず、この配置により、大量の自由流体（参照として本願に取り入れられる上述の国際公開ＩＢ９９／００７５１に定義するように低い脱着圧力の流体）を保持する傾向が最も高くなる。
【００４１】
例えば、欧州特許出願ＥＰ−Ａ−７７４．２４２に記載のように、変成セルロース材料及び不織布ウエブからなる複合材を考慮する場合、好ましい配置はこれら２つの層の間である。
【００４２】
バリア機能は、負荷が生じる領域であって、更に自由流体を容易に放出する傾向があるような材料が物品の表面材料の近くに存在する等の、少なくとも物品のこれらの領域に配置されるべきである。
【００４３】
上述に従えば、バリア機能は、坪量が通常約５ｇｓｍより大きく、約５０ｇｓｍより小さい、好ましくは約１０ｇｓｍより大きく、約２５ｇｓｍより小さい、両方とも任意に親水性化されたポリエチレンまたはポリプロピレンなどの有孔ポリマーフィルムのような、比較的薄い層により好適に達成可能である。
【００４４】
開孔は、個々の開孔面積１．４ｍｍ２〜３．０ｍｍ２、好ましくは１．５ｍｍ２〜２．５ｍｍ２を有することができる。バリア層のこれら開孔の合計開口面積は、バリア層表面積の５％〜３０％の範囲、好ましくは１０％〜２０％とすべきである。
【００４５】
好ましい実施態様は、吸収性物品のトップシート材料またはバックシート材料に使用することが既知の開孔フィルムなどの、優先的に流体を取り扱う方向性を有する材料を含み、特に好ましい実施態様は、開孔を有する流体不透過性ポリマーフィルムからなる弾力性の三次元ウエブを含む。
【００４６】
好適な材料として、それぞれトップシート材料またはバックシート材料に関するものであるが、共に１９９９年２月３日に出願された国際公開ＵＳ９９／０２３９５及びＵＳ９９／０２３９３に記載されるものがあり、参照として本願に取り入れる。
【００４７】
かかるウエブは、開孔の直径の大きい方が上向きに置かれ、すなわち着用者に向き、小さい方の開孔が貯蔵コアの方向になるような向きに配置される。使用中、狭まっていく毛管の漏斗効果が適用圧力へのバルブ効果と組み合わさり、流体貫通の方向性をもたらす。
【００４８】
特定の実施態様では、形成フィルムの開孔は、トップシートの適用に関して欧州公開特許ＥＰ−Ａ−０．７４９．７３８に記載されるように、変化する大きさを有する。したがって、これらは、本明細書で「大開孔」と呼ぶ開孔と、本明細書で「小開孔」と呼ぶ開孔とを有する。
【００４９】
開孔のサイズに関する全ての測定に対して、光学分析により決定できるような、開孔の最も小さい断面の平面を使用すべきである。
【００５０】
大開孔は、個々の開孔面積１．４ｍｍ２〜３．０ｍｍ２、好ましくは１．５ｍｍ２〜２．５ｍｍ２を有する。バリア層の大開孔の合計開口面積は、バリア層表面積の５％〜２０％の範囲、好ましくは１０％〜２０％とすべきである。
【００５１】
吸収性物品のバリア層のこの好ましい実施態様の小開孔は、個々の開孔面積が１．４ｍｍ２未満であり、通常０．１５ｍｍ２以上である。更により小さい開孔は、通常流体輸送には好適ではなく、ガス透過開孔としてのみ機能する。好ましくは、任意選択の小開孔は、０．２５ｍｍ２〜０．４ｍｍ２の範囲である。
【００５２】
開孔は、実質的に円形または多角形であるのが好ましい。その形状は、最大内側対角線の長さに対する最小内側対角長さの比が１対６の間の範囲、好ましくは１対３の間の範囲を有することにより制限される。バリア層の全流体輸送開孔の合計開口面積は、バリア層の合計面積の１０％〜４０％の範囲、好ましくは１５％〜３５％の範囲である。
【００５３】
任意に、バリア層は、上記開孔よりもはるかに大きいサイズの開孔であって、糞便などの粘性がより高い物質または固体物質さえも通過が可能であるような、マクロ開孔を有することができる。
【００５４】
特定の実施態様では、二開孔サイズを形成されたフィルムなどの開孔フィルムは、好ましくは繊維性構造の、２つの多孔質構造体の間にサンドイッチされ、開孔フィルムの下の層は、流体保持能力が低く、好ましくは化学変性されたセルロースを含み、開孔フィルムの上のすなわち着用者に向く層は、親水性樹脂で接着されたＰＥＴウエブなどの親水性化された不織布ウエブなどである。米国ウェアハウザー社（Ｗｅｙｅｒｈａｅｕｓｅｒ Ｃｏ．）より、取引表記ＣＭＣにて供給される化学的に処理されて剛化したセルロース材料（ＣＳ）を空気積層して、密度約０．０８ｇ／ｍ３坪量約２８０ｇｓｍのウエブにすることができ；嵩高の化学的に接着された不織布ＦＴＰＥＴウエブは、ファイバーテックノースアメリカ（ＦＩＢＥＲＴＥＣＨ， Ｎｏｒｔｈ Ａｍｅｒｉｃａ）よりタイプ６８５２の表記で、坪量４３ｇ／ｍ２の化学的に接着されたＰＥＴ繊維ウエブとして、供給を受けることができる。
【００５５】
獲得／分配システムは、まず、架橋セルロースのパッドを空気成形して、その上にＢＰケミカルズ（ＢＰ Ｃｈｅｍｉｃａｌｓ）から４５１０５の表記で入手可能なものなどの二開孔体を小さい方の開孔をこの層に向けて置き、更に樹脂接着されたＰＥＴウエブをその上に置くことにより、形成することができる。
【００５６】
吸収性物品の製造を考慮する時、かかるバリア複合材料は、「オンライン」で、すなわち物品の製造プロセスと直接一体で成形することが可能であり、または「オフライン」で、すなわち、物品生産ラインにてではなく、バリア層製造と物品製造の間にロールまたは箱詰めのような追加貯蔵段階を置いて、成形することが可能である。
【００５７】
かかるバリア層は、物品からの、特に獲得／分配領域から物品外側の蒸気相への、すなわち意図した使用中の着用者皮膚と物品との間の空間への、湿気移動の減少に関して改善をもたらす。
【００５８】
今後は、かかるバリア層を含む好適な物品は、後述する蒸発試験にかけると、かかるバリア層がない以外は同等のデザインのものと比較して、少なくとも２５％、好ましくは３０％を超えて、より好ましくは５０％を超えて減少する。
【００５９】
好ましくは、好適な物品は、１５０ｇ／ｍ２／時間未満の、好ましくは約１２０ｇ／ｍ２／時間未満の，更により好ましくは約１００ｇ／ｍ２／時間未満の、蒸発速度をもたらす。
【００６０】
（実施例）
プロクターアンドギャンブル・イン・ジャーマニー（Ｐｒｏｃｔｅｒ ＆ Ｇａｍｂｌｅ ｉｎ Ｇｅｒｍａｎｙ）により製造販売される、従来型乳児おむつパンパースベイビードライ寸法が大（すなわち、９〜１８ｋｇの乳児用）を比較例として使用し、上で引用したＢＰケミカルズ（ＢＰ Ｃｈｅｍｉｃａｌｓ）から４５１０５の表記で入手可能な開孔成形フィルム材料を、獲得／分配要素の第一の層とその第２の層との間に、成形フィルムの小さい方の開口が貯蔵コアの方へ向くように挿入して更に変更した。
【００６１】
その製品を後述する蒸発試験にサンプル試料当たり１０ｍｌの負荷でかけると、開孔成形フィルム層以外は同じ製品が約１５０ｇ／ｍ２／時間の蒸発速度を示すのに比較して，比面積蒸発速度約１００ｇ／ｍ２／時間の結果となる。
【００６２】
試験手順
負荷させたおむつコアからの蒸発速度
この試験方法は吸収性物品に関する。７０ｍｍ（物品の横断方向）×１００ｍｍ（物品の長手方向）の長方形試験試料を、好適な鋏または切断刃にて、吸収性物品の代表的部分、例えば横断方向は中心でコア前縁から約６ｃｍの部分などから切断する。
【００６３】
乾燥重量を記録して、試料を、約７２ｍｍ×１０２ｍｍ×高さ約４０ｍｍの蓋なしのガラスの箱の中に、バックシートを下にトップシートを周囲に向けて配置する。試料に、試験試料グラム当たり１０グラムの０．９％食塩水溶液を負荷するが、該流体は面積に均一に分配し、ガラス箱が濡れないようにする。
【００６４】
試料を載せたガラス箱の全重量を記録する。
【００６５】
その器具を、例えば、独国のツトリンゲン（Ｔｕｔｔｌｉｎｇｅｎ， Ｇｅｒｍａｎｙ）のＷＴＢビンダー（ＷＴＢ Ｂｉｎｄｅｒ）から入手できる３７７２００９９００３１００型で、３３±２℃、５０±３％相対湿度（ＲＨ）といった人工気象室に配置する。換気は、ガラス箱開口部の上部で約１５ｃｍ／秒の空気流速となるように調節する。
【００６６】
２時間の蒸発時間の後、試料を含む全ガラス箱の最終重量を記録する。
【００６７】
比面積蒸発速度を決定する；
蒸発速度＝（開始重量−最終重量）／（時間×試料面積）
ここで、開始重量及び最終重量は、試料を含むガラス箱の合計重量である。
【００６８】
上述の負荷値は、乳児おむつに、特に寸法が大と呼ぶことが多い約９〜１８ｋｇの大きさの乳児用おむつに有用であることが判明している。非常に異なる吸収容量の吸収性物品を検討する場合、流体負荷量は、以降に定義する理論基準容量の約５０％に調節すべきである。
【００６９】
設計容量
異なる最終使用条件の吸収性物品または異なるサイズの物品を比較可能にするためには、「設計容量」が好適な量りであることが判明している。
【００７０】
例えば、乳幼児は典型的な使用グループを代表しているが、このグループの中でさえも、尿負荷の量や負荷の頻度や尿の組成は、小さな乳児（新生児）から他端の歩き始めの子まで、また例えば歩き始めの様々な個人間でも、大きく変わる。他の使用者グループには、依然ある種の失禁を患っている更に大きな子供の場合もある。また、失禁症大人もかかる物品を使用することができるが、再び、一般的に言う軽失禁症から重失禁症の範囲まで、広い範囲の負荷条件を伴う。
【００７１】
今後は、かかる物品がかかる要求を処理可能にするためには、かかる量の尿を収集する能力を有することが必要であり、これを更なる説明においては「設計容量」と呼ぶ。
【００７２】
これら量の流体は、最終的には身体性流体を貯蔵可能な材料により、または少なくともその水性部分は吸収されなければならず、たとえ残ったにしても、着用者の皮膚に向く物品表面上にほんのわずかな流体が残るだけでなければならない。用語「最終的」は、一点では、長時間着用の吸収性物品内のような状況を指し、他点では環境と平衡する「最終」容量に到達した吸収性材料を指す。これは、長時間着用後の実際の使用状況での吸収性物品内などにあり得、または純粋材料若しくは材料複合物の試験手順内にもあり得る。考慮中のプロセスが漸近的な動的挙動を有する場合、当業者は容易に、実際の容量が漸近最終点の例えば装置の測定精度に相当する十分近い値に達した時に、「最終」容量に到達したと考えるであろう。
【００７３】
吸収性物品としては、主として最終的に液体を貯蔵するように設計された材料と、主として流体の獲得及び／または分配などの他の機能を果たすように設計されているが、それでもある種の最終貯蔵容量を有することもある他の材料とを含み得、本発明による好適なコア材料は、かかる機能を人為的に分離する試みなく記述している。それでもなお、最終貯蔵容量を、全吸収性コアに対して、その領域に対して、吸収構造に対して、または副構造に対してさえも、更には従来使用されたいずれかの材料に対して、決定可能である。
【００７４】
本発明を異なる最終用途を要求する他の物品に適用する場合、当業者は容易に、予定する他の使用者グループ用の適切な設計容量を採用できるであろう。
【００７５】
吸収性物品の最終設計貯蔵容量を決定するまたは評価するために、多くの方法が提案されている。
【００７６】
本発明の状況では、物品の最終貯蔵容量は、個々の要素または材料の最終吸収容量の合計であると仮定する。これら個々の構成要素に対しては、良く確立された様々な技法が、全比較において一貫して適用する限り、適用可能である。例えば、超吸収性ポリマーに対して開発されて良く確立されたティーバック遠心分離容量が、かかる材料だけでなくその他（上述参照）に対しても使用可能である。
【００７７】
一旦個々の材料の容量がわかると、合計物品容量は、これらの値（ｍｌ／ｇによる）に物品に使用する材料の重量を乗じて計算することができる。
【００７８】
流体の最終貯蔵以外の専用機能を有する材料、例えば獲得層などの場合には、かかる材料は最終流体貯蔵を専用とする材料に比較して実際に非常に低い容量値しか有さないとしてか、かかる材料は流体を負荷することを意図されていないのでその流体を他の最終貯蔵材料へ放出すべきであるとして、その最終貯蔵容量を無視することができる。
【００７９】
かかる定義により、例えば所謂「パンティライナー」製品は、数ｍｌ以下の非常に低い最終貯蔵容量を示す。女性用衛生パッドは、最終貯蔵容量の約２０ｍｌまでをしばしば有し、軽尿失禁用の物品は例えば７５ｍｌまたは約９０ｍｌを有し、中程度失禁用の物品または小さな乳児用のおむつは約１６５ｍｌ有することができ、歩き始め幼児サイズのおむつは３００ｍｌ以上にも達し、重失禁症大人用の物品は６００ｍｌ以上を有する。
【００８０】
ティーバック遠心分離容量試験（ＴＣＣ試験）
ＴＣＣ試験は特に超吸収性材料に対して開発されたものであるが、他の吸収性材料にも容易に適用可能である。
【００８１】
ティーバック遠心分離容量試験は、ティーバック遠心分離容量値を測定し、これは吸収性材料内の流体保持の量りとなる。
【００８２】
吸収性材料を、「ティーバック」の中へ入れて、０．９重量％の塩化ナトリウム溶液に２０分間漬けた後、３分間遠心分離にかける。保持された流体重量に対する乾燥材料の初期重量の比が、その吸収性材料の吸収容量である。
【００８３】
塩化ナトリウム０．９重量％を入れた蒸留水２リットルを、２４ｃｍ×３０ｃｍ×５ｃｍ寸法のトレーに注ぐ。流体充填高さは、約３ｃｍでなければならない。
【００８４】
ティーバック小袋は、６．５ｃｍ×６．５ｃｍの寸法であり、ドイツ、デュッセルドルフのティーカン（Ｔｅｅｋａｎｎｅ）から入手できる。その小袋は、熱シール可能な標準的な台所用プラスチック袋（例えば、ドイツ、クルップス（Ｋｒｕｐｓ）からのＶＡＣＵＰＡＣＫ２ ＰＬＵＳ）である。
【００８５】
ティーバックを、一部を注意深く切って開けて、重量測定する。吸収性材料のサンプル約０．２００グラムを、±０．００５グラムまで正確に測定して、該ティーバックへ入れる。次に、そのティーバックを、熱シール装置により閉じる。これをサンプルティーバックと呼ぶ。空のティーバックをシールし、ブランクとして使用する。
【００８６】
次に、サンプルティーバックとブランクティーバックを、食塩水溶液の表面上に置き、へらを使用して約５秒間沈めて完全に湿らせる（ティーバックは食塩水溶液の表面に浮くであろうが、次に完全に湿る）。直ちに時計をスタートさせる。
【００８７】
２０分の浸せき時間の後、サンプルティーバックとブランクティーバックを、食塩水溶液から取り出して、Ｂａｕｋｎｅｃｈｔ  ＷＳ１３０、Ｂｏｓｃｈ  ７７２  ＮＺＫ０９６、または等価の遠心分離器（直径２３０ｍｍ）内に、それぞれのバックが遠心分離器バスケットの外側壁に付着するように置く。遠心分離器の蓋を閉じて、遠心分離器をスタートさせて、迅速に速度を１，４００ｒｐｍへ上げる。遠心分離器が１，４００ｒｐｍで安定したら、時計をスタートさせる。３分後、遠心分離器を停止する。
【００８８】
サンプルティーバックとブランクティーバックを取り出して、別々に重量測定する。
【００８９】
吸収性材料サンプルのティーバック遠心分離容量（ＴＣＣ）を次のように計算する：
ＴＣＣ＝［（遠心分離後のサンプルティーバック重量）−（遠心分離後のブランクティーバック重量）−（乾燥吸収性材料重量）÷（乾燥吸収性材料重量）］  また、構造の特定の部分または全吸収性物品も、「セクション」切り出しなどにより測定可能であり、すなわち、構造の部分または吸収性物品全体を見て、物品の長手方向軸の決定点で物品の全幅に亘って切断する。特に、上述した「股部領域」の定義により、「股部領域容量」の決定ができる。他の切り出しを使用して、「基準容量」（すなわち、物品の特定領域の単位面積に含まれる容量）の決定ができる。単位面積（好ましくは２ｃｍ×２ｃｍ）のサイズにより、どれだけの平均化が生じているか決まり、もちろんサイズが小さいほど平均化は少ない。
【００９０】
最終貯蔵容量
吸収性物品の最終設計貯蔵容量を決定するまたは評価するために、多くの方法が提案されている。
【００９１】
本発明の状況では、物品の最終貯蔵容量は、個々の要素または材料の最終吸収容量の合計であると仮定する。これら個々の構成要素に対しては、良く確立された様々な技法が、全比較において一貫して適用する限り、適用可能である。例えば、超吸収性ポリマー（ＳＡＰ）に対して開発されて良く確立されたティーバック遠心分離容量が、かかるＳＡＰ材料だけでなくその他（上述参照）に対しても使用可能である。
【００９２】
一旦個々の材料の容量を知ると、合計物品容量は、これらの値（ｍｌ／ｇ）に物品に使用する材料の重量を乗じて計算することができる。
【００９３】
流体の最終貯蔵以外の専用機能を有する材料、例えば獲得層などの場合には、かかる材料は最終液体貯蔵を専用とする材料に比較して実際に非常に低い容量値しか有さないとしてか、かかる材料は流体を負荷することを意図されていないのでその流体を他の最終貯蔵材料へ放出すべきであるとして、その最終貯蔵容量を無視することができる。
【００９４】
獲得試験
この試験は、約２２±２℃及び相対湿度３５±１５％で実施されなければならない。これら試験方法で使用する合成尿は、０．９％食塩溶液である。
【００９５】
図２を参照すると、吸収性構造９１０は、ポンプ（例えば、米国シカゴのコールパーマーインスツルメンツ（Ｃｏｌｅ Ｐａｒｍｅｒ Ｉｎｓｔｒｕｍｅｎｔｓ）から供給されるモデル７５２０−００）により、サンプル表面の５ｃｍの高さから、１５ｍｌ／秒の率で７５ｍｌの合成尿の噴出を負荷される。該尿を吸収する時間をタイマーで記録する。噴出は、物品に十分負荷されるまで、正確に５分の噴出間隔をおいて繰り返す。現在のデータは、４回の負荷により生成される。
【００９６】
試験サンプルは、完全な吸収性物品でも、または吸収性コアとトップシートとバックシートとを含む吸収性構造でもあり得るが、パースペックスの箱（そのベース９１２のみ示す）の中の発泡体の台９１１の上に平らに横になるように配置する。その中央に直径５ｃｍの開口部を有するパースペックスプレート９１３を、構造の負荷ゾーン上のサンプル上に置く。合成尿は、開口部に嵌め込んで接着された円筒９１４を通して、サンプルに導入される。電極９１５を、吸収性構造９１０の表面に接触させて、板の最下表面に配置する。電極はタイマーに接続する。重し９１６を板の上に置いて、例えば乳児の重量をシミュレートする。約５０ｇ／ｃｍ２（０．７ｐｓｉ）の圧力は、重し９１６、例えば普通入手可能な寸法が大では２０ｋｇ、を置くことにより達成する。
【００９７】
試験流体を円筒へ導入すると、通常吸収性構造の頂部まで溜り、これにより電極間の電気回路が完成される。試験流体は、試験流体を満たして保持される約８ｍｍ径の配管により、ポンプから試験組立体へ輸送される。したがって、ポンプが作動を開始すると基本的に同時に、流体は配管を離れ始める。この時タイマーもスタートさせ、吸収性構造が尿の噴出を吸収してしまい電極間の電気接触が破れる時、タイマーが止まる。
【００９８】
獲得速度は、単位時間（秒）に吸収された噴出体積（ｍｌ）として定義する。獲得速度は、サンプルに導入した各噴出に対して計算する。本発明の観点から特に関心があるのは、４回の噴出の内で最初と最後のものである。
【００９９】
この試験は主として、設計容量約３００ｍｌ用の、それぞれの最終貯蔵容量約３００ｍｌ〜４００ｍｌを有する、一般に寸法が大製品と呼ばれる製品を評価するように計画されている。非常に異なる容量の（例えば、失禁症大人用製品または小さな乳児用などが想定され得る）製品を試験しなければならない場合、特に噴出当たりの流体体積の設定は、物品の全設計容量の約２０％まで適当に調節すべきであり、標準試験手順からの逸脱は記録しなければならない。
【０１００】
（獲得後のコラーゲン再湿潤法）（図３参照）
試験を実行する前に、コラーゲンフィルムを、ドイツ、ウェインヘイン（Ｗｅｉｎｈｅｉｎ， Ｇｅｒｍａｎｙ）のナチューリン社（ＮＡＴＵＲＩＮ ＧｍｂＨ）からＣＯＦＦＩ（または等価物）の表記で坪量約２８ｇ／ｍ２を購入し、サンプル切断装置を使用して９０ｍｍの直径のシートに切断し、試験室の制御環境内（上述参照）で少なくとも１２時間フィルムと平衡にして準備する（コラーゲンフィルムの全ての取扱いにピンセット使用）。
【０１０１】
上述の獲得試験の最後の噴出が吸収された後少なくとも５分後、しかし６分を超えない時、カバープレート及び重しを取り除いて、試験サンプル１０２０を試験台の上に注意深く平らに置く。
【０１０２】
事前切断して平衡化した４枚のシートのコラーゲン材料１０１０を、少なくとも１ミリグラムの精度まで重量を測定し、次に物品の負荷点の上を中心として置き、厚さ約２０ｍｍ直径９０ｍｍのパースペックスプレート１０３０にてカバーする。１５ｋｇの重し１０４０を注意深く加える（これも中心を合わせる）。３０±２秒後、重しとパースペックスプレートを注意深く再び取り除き、コラーゲンフィルムの重量を再測定する。
【０１０３】
獲得後のコラーゲン再湿潤方法の結果は、コラーゲンフィルムに取られたｍｇ表示される湿りである。
【０１０４】
この試験手順は、例えば、乳幼児用の異なるおむつサイズ、または失禁症大人用物品、または月経用物品など特定の製品タイプにより、或いは、負荷流体のタイプ及び量の、または吸収性材料の量と大きさの変化により、或いは適用可能圧の変化により、容易に調節可能であることは更に注意を要する。一旦これらの関連するパラメータが決まった後では、かかる変更は当業者にとって明白であろう。調節した試験手順からの結果を考慮する時、製品は、現実的な使用境界条件で標準的な統計的方法に従って実験を計画するなどにより、これら確認された関連するパラメータを容易に最適化することができる。
【０１０５】
厚さ測定方法
この方法の意図は、股点、及び股領域に直接隣接するいずれかの腰部領域にて、吸収性物品の厚さを決定する手段を提供することである。この試験は、米国イリノイ州のオノソッキテクノロジー社（ＯＮＯ ＳＯＫＫＩ Ｔｅｃｈｎｏｌｏｇｙ Ｉｎｃ．）から入手可能なＥＧ−２２５型などの、４１ｍｍ径のアルミニウム製円形サンプルフットと１０グラムのフット重しを有する適切なゲージスタンド付きの、従来型はさみ尺により行うことができる。追加の重しを加えて、合計１６０グラムにして、圧力を１．１８ｋＰａ（０．１７３ｐｓｉ）に調節する。
【０１０６】
獲得材料上のトップシートの濡れ試験
この試験は、トップシートが「標準コア」だけでなく獲得材料とも組み合わされた場合に、トップシート性能を評価するのに使用する。
【０１０７】
３片の「コア代替」の英国ホリングスワースアンドボースから（Ｈｏｌｌｉｎｇｓｗｏｒｔｈ ＆ Ｖｏｓｅ）供給、タイプＥＲＴ  ＦＦ３．Ｗ／Ｓ、３０．５ｃｍ×１４．０ｃｍのフィルターペーパーを、実施例に記した１８ｃｍ×１２ｃｍの獲得／分配材料の層の下に置く。１８ｃｍ×１２ｃｍのトップシートサンプルもまた、この上に置く。
【０１０８】
試験流体（０．９％食塩水溶液）４０ｍｌ（必要ならばコア代替フィルターペーパーの充填率に合わせて調節）を、サンプルの側から流体が溢れるの避ける速度で添加する。
【０１０９】
３．６４２ｋｇ（８ｌｂｓ）の重しを、注意深く加える。
【０１１０】
１５分後、トップシートの（乾燥状態で事前測定後の）重量増を測定する。
【０１１１】
トップシート仕上り製品湿り試験の後の製品
上述の仕上り製品の獲得試験を実施後、トップシートを、製品の残りから注意深く（好ましくはできるだけ完全に）取り外す。次に、トップシートを、事前重量測定した７ｃｍ×１０ｃｍのピックアップフィルターペーパー（英国ホリングスワースアンドボース（Ｈｏｌｌｉｎｇｓｗｏｒｔｈ ＆ Ｖｏｓｅ）からミーディアムホワイトＷ／Ｓ（ＭＥＤＩＵＭ ＷＨＩＴＥ Ｗ／Ｓ）表記として供給される）、２枚を下に２枚を上にして置き、７．５ｋｇの重しを（フィルターペーパーと同じ域に）加える。
【０１１２】
３０秒後にはフィルターペーパは、トップシートの殆どの量を排水し、トップシートに保持された流体（湿り）は、フィルターすなわちペーパを再計量して差を求めることにより、測定することができる。
【０１１３】
動的流体移動試験
動的流体移動は、図４に示す装置９１００により測定する。この試験によれば、０．０００１グラムの精度まで測定した吸収材料９１０２を、エネルギー吸収衝撃パッド９１０３の上に直接配置する。吸収材料９１０２は、オハイオ州クリーブランド（Ｃｌｅｖｅｌａｎｄ， ＯＨ）のＶＷＲサイエンティフィック（ＶＷＲ Ｓｃｉｅｎｔｉｆｉｃ）から配布される、ワットマンラボラトリディビジョン（Ｗｈａｔｍａｎ Ｌａｂｏｒａｔｏｒｙ Ｄｉｖｉｓｉｏｎ）から入手可能なＮｏ．２フィルターペーパーを含んでよい。吸収材料は、試験するシート材料を通過した模擬尿を吸収して保持可能でなければならない。エネルギー吸収衝撃パッド９１０３は、カーボンブラックを充填した架橋ゴム発泡体である。１２．７ｃｍ×１２．７ｃｍ（５インチ×５インチ）の正方形衝撃パッドは、密度０．１１３２ｇ／ｃｍ３及び厚さ０．７９ｃｍ（０．３１２５インチ）を有する。衝撃パッド９１０３は、ＡＳＴＭ　２２４０−９１によるデュロメータ値Ａ／３０／１５を有する。直径０．０６３５メートル（２．５インチ）の円形吸収性コア材料９１０４を、重量計測する。吸収性コア材料は、１９９２年８月１１日にヘロン（Ｈｅｒｒｏｎ）らに発行された米国特許第５，１３７，５３７号に記載されるように、離解し架橋した木材パルプセルロース繊維を含んでよい。
【０１１４】
使用可能な他の吸収性材料には、エアフェルト、ティッシュー、セルロース詰め物が、少なくとも１０ｇ／ｇの要求吸収容量を示す限り、含まれる。材料が１０ｇ／ｇ未満の容量である場合には、それらの飽和容量の少なくとも８０％まで湿らせるべきである。また、吸収性材料は、流体とあまりに強く結合して結果に影響を与える可能性がある、「超吸収性材料」を基本的に含まないものでなければならない。
【０１１５】
吸収性コア材料は、十分な量の模擬尿を、例えばその乾燥重量の少なくとも約１０倍を保持可能でなければならない。吸収性材料は、坪量約２２８ｇ／ｍ２を有する。次に、吸収性コア材料に、その乾燥重量の約１０倍までの模擬尿を負荷する。模擬尿は、０．９％食塩溶液である。
【０１１６】
試験するバックシート材料のセクション９１０５を、汚れのない乾燥したテーブルトップに接して、表面を下向きに置く。負荷したコア材料９１０４を、バックシート材料９１０５の中心に直接置く。次に、バックシート／コアの組合せを、衝撃アーム９１０８の衝撃部分９１０７にゴムバンド９１０９にて固定する。バックシート／コアの組合せは、コア９１０４が、衝撃部分９１０７の底表面９１１０に隣接するように配置する。衝撃アーム９１０８を、所望の衝撃エネルギーを得るために所望の衝撃角度まで上げる。衝撃アーム９１０８を落下させ、次に、衝撃アームを衝撃の後１０秒間サンプルの上に放置する。次に、衝撃アームを上げて、フィルターペーパー９１０２を取り外して、デジタルスケールの上に置く。次にウエットフィルターペーパーの質量を、３分後に記録する。動的流体移動値（ＤＦＴＶ）は、次の式を使用して計算して、ｇ／ｍ２にて表す：
ＤＦＴＶ＝［湿りフィルターペーパーの質量（グラム）−乾燥フィルターペーパーの質量（グラム）］／  衝撃面積（ｍ２）
ｍ２で表された衝撃面積は、衝撃部分９１０７の底表面９１１０の面積である。　衝撃面積は、０．００３１７ｍ２である。吸収性コア材料９１０４は、底表面９１１０の衝撃面積よりもわずかに大きい面積を有さなければならない。
【図面の簡単な説明】
【図１】代表的な物品の概略図である。
【図２】獲得試験装置の概略図である。
【図３】獲得後のコラーゲン再湿潤試験の装置の概略図である。
【図４】動的流体移動試験装置の概略図である。
【国際公開パンフレット】
2004500932.tif 000003
2004500932.tif 000004
2004500932.tif 000005
2004500932.tif 000006
2004500932.tif 000007
2004500932.tif 000008
2004500932.tif 000009
2004500932.tif 000010
2004500932.tif 000011
2004500932.tif 000012
2004500932.tif 000013
2004500932.tif 000014
2004500932.tif 000015
2004500932.tif 000016
2004500932.tif 000017
2004500932.tif 000018
2004500932.tif 000019
2004500932.tif 000020
2004500932.tif 000021
2004500932.tif 000022
2004500932.tif 000023
2004500932.tif 000024
2004500932.tif 000025
2004500932.tif 000026
2004500932.tif 000027
2004500932.tif 000028
2004500932.tif 000029
2004500932.tif 000030
2004500932.tif 000031
2004500932.tif 000032
【国際調査報告】
2004500932.tif 000033
2004500932.tif 000034
2004500932.tif 000035
2004500932.tif 000036
2004500932.tif 000037
2004500932.tif 000038